(57)【要約】【課題】認証のためにＤＮＡを含んでいる古紙から、ＤＮＡを含まない再生紙を製造する方法、及び再生紙製造装置を提供する。【解決手段】古紙は、古紙を水に溶かしてパルプ状にする離解の工程、パルプ状の古紙から異物を取り除く除塵の工程、パルプ状の古紙からインクを除去する脱墨の工程、及び脱墨後の古紙を漂白する工程を経て、再生紙の原料である古紙パルプとなる。書類の認証に利用するＤＮＡインクを含む古紙から古紙パルプを製造する際は、脱墨の工程において、ＤＮＡ分解酵素であるヌクレアーゼをパルプ状の古紙に混入する工程を加えることにより、再生紙の原料からＤＮＡを除去する。【選択図】        図１
2004339622.tif 000002
【特許請求の範囲】
【請求項１】
原料に古紙を含む再生紙を製造する方法において、
原料からデオキシリボ核酸を除去する工程を含むことを特徴とする再生紙製造方法。
【請求項２】
原料に古紙を含む再生紙を製造する方法において、
デオキシリボ核酸分解酵素を原料へ混入する工程を含むことを特徴とする再生紙製造方法。
【請求項３】
古紙を含む原料をパルプ状に離解する工程、離解した原料を脱墨する脱墨工程、及び脱墨後の原料を用いて紙を漉く工程を含む再生紙製造方法において、
前記脱墨工程中、又は前記脱墨工程以後の工程で、デオキシリボ核酸分解酵素を原料へ混入することを特徴とする再生紙製造方法。
【請求項４】
古紙を含む原料をパルプ状に離解する工程、離解した原料を脱墨する脱墨工程、及び脱墨後の原料を用いて紙を漉く工程を含む再生紙製造方法において、
漉いた紙を加熱して、原料に含まれるデオキシリボ核酸を熱分解する工程を更に含むことを特徴とする再生紙製造方法。
【請求項５】
古紙を含む原料をパルプ状に離解する工程、離解した原料を脱墨する脱墨工程、及び脱墨後の原料を用いて紙を漉く工程を用いて再生紙を製造する装置において、
前記脱墨工程中、又は前記脱墨工程以後の工程で、デオキシリボ核酸分解酵素を原料へ混入する手段を備えることを特徴とする再生紙製造装置。
【請求項６】
古紙を含む原料をパルプ状に離解する工程、離解した原料を脱墨する脱墨工程、及び脱墨後の原料を用いて紙を漉く工程を用いて再生紙を製造する装置において、
漉いた紙を加熱して、原料に含まれるデオキシリボ核酸を熱分解する手段を備えることを特徴とする再生紙製造装置。
【発明の詳細な説明】
【０００１】
【発明の属する技術分野】
本発明は、認証のためにデオキシリボ核酸（以下、ＤＮＡという）を含んでいる古紙から再生紙を製造する方法、及び再生紙製造装置に関する。
【０００２】
【従来の技術】
画像記録技術の発達に伴って、レーザプリンタ等の画像記録装置を用いて記録された記録物は、モノクロ、カラーを問わず高品質化しているため、各種の有価証券、証明書、公用文書など多くの書類が画像記録装置を用いて作成されている。しかし、同様に複写技術も発達しており、画像記録技術または複写技術を利用することで、書類を偽造することも容易となっている。そこで、偽造を防止するために、数々の原本証明技術が提案されている。
【０００３】
非特許文献１では、原本証明技術として、ＤＮＡ認証技術が提案されている。生物の細胞内に存在するＤＮＡ（ｄｅｏｘｙｒｉｂｏｎｕｃｌｅｉｃ  ａｃｉｄ：デオキシリボ核酸）は、デオキシリボヌクレオチドの鎖状重合体であり、アデニン（Ａ）、グアニン（Ｇ）、チミン（Ｔ）、及びシトシン（Ｃ）の４種の塩基成分を持つ。ＤＮＡを構成する４種の塩基のＤＮＡ分子内の１次元的な並び方をＤＮＡの塩基配列という。ＤＮＡ内には、短い塩基配列の繰り返し回数が個体によって異なる領域が存在しており、このような領域を複数箇所定め、各所から得られる繰り返し回数から、ＤＮＡについて一意な数値情報であるＤＮＡ識別子を生成することができる。ＤＮＡ識別子を用いることにより、ＤＮＡが特定され、更には生物の個体を特定することができる。ＤＮＡ識別子を原本証明に利用するために、ＤＮＡ識別子の数値情報を、所定の規則に従ってＡ，Ｇ，Ｔ，Ｃの４種の塩基の配列に変換し、変換した塩基配列を化学的に合成した合成ＤＮＡが用いられる。合成ＤＮＡをインキに混入させたものがＤＮＡインキである。ＤＮＡインキに含まれる合成ＤＮＡを分析することで、ＤＮＡ識別子を知ることができる。ＤＮＡインキを用いて記録された記録物は、記録内容は複写可能であっても、ＤＮＡ識別子を複写することはできない。例えば、個人のＤＮＡから作成したＤＮＡ識別子の情報を含むＤＮＡインキで朱肉を作成し、書類の押印に利用した場合は、ＤＮＡ識別子を複写することはできないため、偽造が困難であり、書類に記録されたＤＮＡ識別子により書類の原本証明を行うことができる。特許文献１には、画像を形成するときに記録媒体上にＤＮＡを供給する画像形成装置が開示されている。
【０００４】
【特許文献１】
特開２００２−７２７９５号公報
【非特許文献１】
西条公人，「ＤＮＡ認証技術を用いた物品認証インフラの整備と推進＝ＤＮＡ情報を用いた新しい認証手法の確立＝」，バーコード，日本工業出版，２００３年，第１６巻，第１号，ｐ．１６−１８
【０００５】
【発明が解決しようとする課題】
従来、紙の原料として古紙が再利用されており、様々な書類を作成するための記録用紙にも、原料に古紙を利用した再生紙が用いられることがある。回収された古紙から、再生プラントにて紙の原料となる古紙パルプが作成され、古紙パルプがヴァージンパルプに混ぜられる等して、原料に古紙を利用した再生紙が製造される。しかし、書類の原本証明を行うためにＤＮＡインク等によるＤＮＡを含んだ古紙から再生紙が製造された場合、製造された再生紙にはＤＮＡが残留しており、本来限られた書類にのみ記録されるべきＤＮＡ識別子が記録された再生紙が広汎に出回ることとなり、ＤＮＡ識別子を用いた原本証明の信頼性が低下するという問題がある。また、このような再生紙を用いて作成した書類にＤＮＡ識別子を記録させて原本証明を行おうとした場合、複数種類のＤＮＡ識別子が検出されることとなり、原本証明が困難であるという問題がある。
【０００６】
本発明は、斯かる事情に鑑みてなされたものであって、その目的とするところは、古紙から再生紙を製造する工程において、古紙に含まれるＤＮＡを除去する工程を含むことにより、ＤＮＡを含む古紙からＤＮＡを含まない再生紙を製造する方法、及び再生紙製造装置を提供することにある。
【０００７】
【課題を解決するための手段】
本発明に係る再生紙製造方法は、原料に古紙を含む再生紙を製造する方法において、原料からデオキシリボ核酸を除去する工程を含むことを特徴とする。
【０００８】
本発明に係る再生紙製造方法は、原料に古紙を含む再生紙を製造する方法において、デオキシリボ核酸分解酵素を原料へ混入する工程を含むことを特徴とする。
【０００９】
本発明に係る再生紙製造方法は、古紙を含む原料をパルプ状に離解する工程、離解した原料を脱墨する脱墨工程、及び脱墨後の原料を用いて紙を漉く工程を含む再生紙製造方法において、前記脱墨工程中、又は前記脱墨工程以後の工程で、デオキシリボ核酸分解酵素を原料へ混入することを特徴とする。
【００１０】
本発明に係る再生紙製造方法は、古紙を含む原料をパルプ状に離解する工程、離解した原料を脱墨する脱墨工程、及び脱墨後の原料を用いて紙を漉く工程を含む再生紙製造方法において、漉いた紙を加熱して、原料に含まれるデオキシリボ核酸を熱分解する工程を更に含むことを特徴とする。
【００１１】
本発明に係る再生紙製造装置は、古紙を含む原料をパルプ状に離解する工程、離解した原料を脱墨する脱墨工程、及び脱墨後の原料を用いて紙を漉く工程を用いて再生紙を製造する装置において、前記脱墨工程中、又は前記脱墨工程以後の工程で、デオキシリボ核酸分解酵素を原料へ混入する手段を備えることを特徴とする。
【００１２】
本発明に係る再生紙製造装置は、古紙を含む原料をパルプ状に離解する工程、離解した原料を脱墨する脱墨工程、及び脱墨後の原料を用いて紙を漉く工程を用いて再生紙を製造する装置において、漉いた紙を加熱して、原料に含まれるデオキシリボ核酸を熱分解する手段を備えることを特徴とする。
【００１３】
本発明においては、再生紙を製造する工程に、再生紙の原料に含まれるＤＮＡを除去する工程を含むことで、ＤＮＡを含む古紙からＤＮＡを含まない再生紙を製造する。
【００１４】
また、本発明においては、再生紙を製造する工程に、再生紙の原料にＤＮＡ分解酵素を混入する工程を含むことで、ＤＮＡを含む古紙からＤＮＡを含まない再生紙を製造する。
【００１５】
また、本発明においては、再生紙の原料にＤＮＡ分解酵素を混入する工程は、再生紙の原料からインクを除去する脱墨工程中、又は脱墨工程以後の工程で行うことで、ＤＮＡを含むインクが除去された原料に残ったＤＮＡを除去する。
【００１６】
また、本発明においては、再生紙を製造する工程に、紙を加熱してＤＮＡを熱分解する工程を含むことで、ＤＮＡを含む古紙からＤＮＡを含まない再生紙を製造する。
【００１７】
【発明の実施の形態】
以下本発明をその実施の形態を示す図面に基づき具体的に説明する。
（実施の形態１）
再生紙の原料となる古紙パルプを古紙から製造する方法は、主に、古紙を水に溶かしてパルプ状にする離解の工程、パルプ状の古紙から異物を取り除く除塵の工程、パルプ状の古紙からインクを除去する脱墨の工程、及び脱墨後の古紙を漂白する工程からなっている。本発明では、脱墨の工程において、ＤＮＡ分解酵素をパルプ状の古紙に混入する工程を加えることにより、再生紙の原料からＤＮＡを除去する。
【００１８】
図１は、本発明の再生紙製造方法における工程の例を示した説明図である。回収された古紙は、まず、離解の工程でパルプ状に戻される。古紙は、水と共にパルパーに投入され、高速に撹拌される。古紙を構成するパルプ繊維は、水を加えることで互いに解離し、解離したパルプ繊維は撹拌によってほぐされ、離解の工程において古紙は液体のパルプ状となる。次に、パルプ状の古紙は、除塵の工程で異物を取り除かれる。除塵の工程では、砂またはステープル針などの重い異物を容器に沈ませる、又は遠心力で分離する等して、パルプ状の古紙から重い異物が取り除かれ、また、スクリーンを通して大きい異物が取り除かれる。
【００１９】
次に、パルプ状の古紙は、脱墨の過程においてインキを除去される。脱墨の工程では、パルプ状の古紙は、本発明の再生紙製造装置であるフローテータ１に投入され、また、パルプ繊維からインクを剥がす薬品がフローテータ１に投入される。更に、フローテータ１の底からは気泡が吹き上がり、パルプ繊維から剥がれたインクは気泡に付着して浮上する。こうして、パルプ繊維から剥がれたインクが水面上に溜まり、水面上のインクを除去することで、古紙からインクが除去される。本発明に係るフローテータ１は、ＤＮＡ分解酵素であるヌクレアーゼをパルプ状の古紙に混入する混入手段２を備えている。混入手段２は、パルプ繊維からインクを剥がす薬品と共にヌクレアーゼをフローテータ１内に投入する構成であっても良く、また、前記薬品とは別に、インクが除去されたパルプ状の古紙に混入する構成であってもよい。古紙に含まれるＤＮＡは、印刷に用いられたＤＮＡインクに含まれており、脱墨の工程によってＤＮＡインクの大半はパルプ状の古紙から除去される。フローテータ１内に投入されるヌクレアーゼは、大半のＤＮＡインクが除去されたパルプ状の古紙から除去されずに残ったＤＮＡインクのＤＮＡ等、インクと共に除去されずにパルプ状の古紙に残留したＤＮＡを分解すれば良いため、効率よくＤＮＡを分解できる。
【００２０】
次に、パルプ状の古紙は、必要があればもう一度除塵が行われ、汚れた水を絞る脱水、及びきれいな水でパルプ状の古紙を薄める洗浄が行われ、漂白の工程にて必要に応じて漂白される。再生紙の製品は、印刷用紙など高い白色度が要求されるものから、新聞紙など低い白色度が許容されるものまで、様々な品質が存在し、パルプ状の古紙は、最終的な製品となる再生紙の品質に応じて、薬品を用いて漂白される。漂白の工程を経て古紙パルプが完成し、古紙パルプは再生紙の原料として利用される。
【００２１】
以上詳述した如く、本発明においては、古紙から古紙パルプを製造する工程において、ＤＮＡ分解酵素であるヌクレアーゼを用いてＤＮＡを除去する工程を含むため、ＤＮＡを含む古紙からＤＮＡを含まない再生紙が製造される。これにより、ＤＮＡ識別子が記録された再生紙が出回ることはなくなり、ＤＮＡ識別子を用いた書類の原本証明の信頼性が保たれる。また、再生紙を用いて作成した書類にＤＮＡ識別子を記録させて原本証明を行おうとした場合、複数種類のＤＮＡ識別子が検出されることもなくなり、再生紙を用いて作成した書類についても、安全・確実にＤＮＡ識別子を用いた原本証明を行うことができる。
【００２２】
なお、本実施の形態においては、ＤＮＡ分解酵素をパルプ状の古紙に混入する工程を、脱墨の工程中に行う方法を示したが、これに限るものではなく、脱墨の工程以後の工程でＤＮＡ分解酵素を混入する方法を用いてもよい。
【００２３】
（実施の形態２）
紙の原料であるパルプから紙を製造する方法は、主に、パルプからシート状の紙を製造する抄紙の工程、紙を平らにするプレスの工程、紙を乾燥させる乾燥の工程、及び紙を巻き取る工程からなっている。再生紙を製造する方法も同様であり、古紙パルプを含むパルプから、再生紙が製造される。本実施の形態では、乾燥の工程において、ＤＮＡを熱分解する熱処理を行うことにより、再生紙からＤＮＡを除去する。
【００２４】
図２は、実施の形態２に係る本発明の再生紙製造方法における工程の例を示した説明図である。古紙パルプからなるパルプ、又は、古紙パルプとヴァージンパルプとが所定の割合で混合され、必要に応じて薬品が混入されたパルプは、抄紙の工程にて、抄紙機より移動する網の上へ吹き付けられ、網の上でパルプに含まれる水が切られてシート状の紙が製造される。次に、シート状の紙は、プレスの工程にて、複数のローラで平らにつぶされ、水が絞り出される。
【００２５】
次に、シート状の紙は、乾燥の工程にて、本発明に係る再生紙製造装置であるドライヤ３に巻き付けられる。ドライヤ３は、高温蒸気を内部に通す等して加熱されたシリンダであり、複数のドライヤ３にシート状の紙が巻き付けられて、シート状の紙が乾燥される。本発明に係るドライヤ３は、ＤＮＡインクを含む古紙などからなる古紙パルプを利用した紙に含まれるＤＮＡが熱分解される温度までシート状の紙を加熱し、ＤＮＡを除去する。合成ＤＮＡは、１５０℃の温度で１０秒間加熱した場合でも分解されずに残ることが知られているため、乾燥の工程では、１５０℃を超える充分な温度で充分な時間シート状の紙が加熱されてＤＮＡが確実に熱分解されるように、ドライヤ３の加熱温度、紙の厚み、搬送速度などの条件が定められている。シート状の紙の段階で加熱を行うため、パルプの状態で加熱することに比べて、効率よく加熱してＤＮＡを除去することができる。
【００２６】
次に、乾燥されたシート状の紙は、必要に応じて表面に薬品が塗布され、形を整えられて、巻取の工程にてリールに巻き取られ、再生紙が製造される。製造された再生紙は、必要な大きさに裁断、又は巻き直しが行われ、製品として出荷される。
【００２７】
以上詳述した如く、本実施の形態においては、古紙パルプを含むパルプから再生紙を製造する工程において、古紙パルプに含まれるＤＮＡを熱分解する工程を含むため、ＤＮＡを含む古紙からＤＮＡを含まない再生紙が製造される。本実施の形態においても、本発明の再生紙製造方法を用いることにより、ＤＮＡ識別子を用いた書類の原本証明の信頼性が保たれ、また、再生紙を用いて作成した書類についても、安全・確実にＤＮＡ識別子を用いた原本証明を行うことができる。
【００２８】
なお、実施の形態１においては、ＤＮＡ分解酵素を用いて再生紙の原料からＤＮＡを除去する方法を示し、実施の形態２においては、熱処理によって再生紙からＤＮＡを除去する方法を示したが、ＤＮＡを除去する方法はこれに限るものではなく、紫外線などの放射線を古紙パルプに照射してＤＮＡを分解する等、ＤＮＡを除去するために他の方法を用いてもよい。
【００２９】
【発明の効果】
本発明においては、再生紙を製造する工程に、再生紙の原料に含まれるＤＮＡを除去する工程を含むことで、ＤＮＡを含む古紙からＤＮＡを含まない再生紙を製造する。これにより、ＤＮＡ識別子が記録された再生紙が出回ることはなくなり、ＤＮＡ識別子を用いた書類の原本証明の信頼性が保たれる。また、再生紙を用いて作成した書類についても、安全・確実にＤＮＡ識別子を用いた原本証明を行うことができる。
【００３０】
また、本発明においては、再生紙の原料からインクを除去する脱墨工程の最中、又は脱墨工程の以後の工程で、再生紙の原料にＤＮＡ分解酵素を混入することにより、再生紙の原料に含まれるＤＮＡを効率よく除去することができる。
【００３１】
また、本発明においては、再生紙を製造する工程に、漉いた紙を加熱してＤＮＡを熱分解する工程を含むことで、再生紙に含まれるＤＮＡを効率よく除去することができる等、本発明は優れた効果を奏する。
【図面の簡単な説明】
【図１】本発明の再生紙製造方法における工程の例を示した説明図である。
【図２】実施の形態２に係る本発明の再生紙製造方法における工程の例を示した説明図である。
【符号の説明】
１  フローテータ
２  混入手段
３  ドライヤ
【図１】
2004339622.tif 000003
【図２】
2004339622.tif 000004